(57)【特許請求の範囲】
【請求項１】
軸方向両端が開放した短筒状の枠体と、この枠体の外側にのみ設けられた複数の翼からなる翼部とを有する軸流ファンと、
前記枠体の内側に設けられた環状ケーシングとを有し、
前記枠体を回転子とし、前記環状ケーシング内に固定子を環状に配列して設け、これら回転子及び固定子によって電動機を形成すると共に、前記環状ケーシングの内側に、前記翼部が発生させた主気流に伴って受動的に発生する従気流が流通する空間を形成したことを特徴とする送風機。 
【発明の詳細な説明】
【技術分野】
【０００１】
本発明は、扇風機等、軸流ファンを用いた送風機に関するものである。
【背景技術】
【０００２】
従来、この種の軸流ファンとして、ボス部と、その外周から放射状に形成された複数枚の翼部から構成されたものが知られている（例えば、特許文献１参照。）。そして、このような軸流ファンは、電動機によって回転させられることで、各々の翼部が気流を連続的に発生させ、全体として軸方向に気流を送るものである。
【先行技術文献】
【特許文献】
【０００３】
【特許文献１】特開２０００−１１０７８８号公報
【発明の概要】
【発明が解決しようとする課題】
【０００４】
しかしながら、このような軸流ファンは、その翼部の中の一枚に着目すると、それ自体が連続的に気流を発生させるものの、前記翼部が円運動するため、発生した気流が螺旋状となる。実際の軸流ファンでは、前記翼部が複数枚設けられるので、それぞれの翼部が発生させた螺旋状の気流が、翼部のピッチ分ずれて重なることになる。このため、気流を受ける対象から観察すると、気流に強弱が生じることになる。そして、気流を受ける対象が人である場合、この気流の強弱が自然風との違いを感じさせる原因となっていた。前記翼部の枚数を増やせば、この問題をある程度緩和することができるものの、十分ではなかった。
【０００５】
本発明は以上の問題点を解決し、強弱変化の少ない連続的な気流を発生させることができる、軸流ファンを用いた送風機を提供することを目的とする。
【課題を解決するための手段】
【０００６】
本発明の請求項１に記載の送風機は、軸方向両端が開放した短筒状の枠体と、この枠体の外側にのみ設けられた複数の翼からなる翼部とを有する軸流ファンと、前記枠体の内側に設けられた環状ケーシングとを有し、前記枠体を回転子とし、前記環状ケーシング内に固定子を環状に配列して設け、これら回転子及び固定子によって電動機を形成すると共に、前記環状ケーシングの内側に、前記翼部が発生させた主気流に伴って受動的に発生する従気流が流通する空間を形成したものである。
【発明の効果】
【０００７】
本発明の請求項１に記載の送風機は、以上のように構成することにより、回転により前記翼部が渦状の主気流を形成すると、この主気流に伴って、前記環状ケーシングの内側及び前記翼部の外側に従気流が形成され、これら主気流と従気流が組み合わされて複合気流が形成される。そして、従気流が主気流の強弱を緩和するように流れるので、強弱変化の少ない連続的な複合気流を得ることができる。また、前記環状ケーシングの内側の空間を流れる従気流を妨げる要素を可能な限り排除して、従気流をスムーズに流すことができる。
【図面の簡単な説明】
【０００８】
【図１】本発明の実施形態を示す送風機の軸方向から見た外観図である。
【図２】同、Ｂ−Ｂ断面図である。
【図３】同、動作説明図である。
【発明を実施するための形態】
【０００９】
以下、本発明の第一の実施形態について、図１乃至図３に基づいて説明する。２１は軸流ファンである。この軸流ファン２１は、枠体２２と、翼部２３とを有して構成される。前記枠体２１は、軸方向の両端が開放した短円筒状に形成される。また、前記枠体２１には、複数の永久磁石２４が固定される。また、前記翼部２３は、前記枠体２２の外周側にのみ、翼２５を軸回りに等ピッチで複数設けることで形成される。本例では、軸回りに０．２π（ｒａｄ）間隔で１０枚の前記翼２５を配列することで構成される。
【００１０】
そして、前記軸流ファン２１は、前記枠体２２が環状ケーシング２６の外側に位置するように、この環状ケーシング２６に取り付けられる。この環状ケーシング２６は、その内部に、環状に配列された固定子２７が設けられる。そして、この固定子２７の外側に、複数の前記永久磁石２４が近接して配置される。これによって、これらの永久磁石２４が固定された前記枠体２２自体が、回転子２８となる。そして、前記固定子２７と回転子２８とで、電動機２９が形成される。このようにして、前記軸流ファン２１を前記電動機２９によって回転させる送風機３０が構成される。また、前記環状ケーシング２６の内側、即ち前記各翼２５の内端３１よりも内側が、従気流Ｖｓの流通空間Ｐとなる。
【００１１】
次に、本実施形態の作用について説明する。前記環状ケーシング２６の固定子２７に電力を供給することで、この固定子２７が交番磁界を発生させる。そして、この交番磁界によって、前記回転子２８である前記枠体２２、即ち前記軸流ファン２１が回転する。この軸流ファン２１が回転すると、前記翼部２３によって主気流Ｖｍが発生する。この主気流Ｖｍは、前記各翼２５によってそれぞれ螺旋状に形成される。これらの主気流Ｖｍは、前記各翼２５によって連続的に発生するものの、各主気流Ｖｍ間は比較的気流が弱い領域となる。一方、前記翼部２３が主気流Ｖｍを発生させると、前記翼部２３よりも外側、及び前記環状ケーシング２６の内側の流通空間Ｐに、従気流Ｖｓが発生する。なお、これらの従気流Ｖｓは、前記翼部２３が能動的に発生させるものではなく、主気流Ｖｍを発生させることによって受動的に発生するものである。即ち、前記翼部２３が主気流Ｖｍを発生させることで、この主気流Ｖｍの周囲に比較的低圧となる領域が生じるので、この低圧領域に向かって周囲の空気が流れることで、従気流Ｖｓは発生する。そして、従気流Ｖｓは、このように発生するため、主気流Ｖｍの比較的弱い（即ち比較的低圧）領域に多く流れ込み、主気流Ｖｍの比較的強い領域（即ち比較的高圧）領域に少なく流れ込む。従って、従気流Ｖｓが主気流Ｖｍの強弱を緩和させるので、主気流Ｖｍと従気流Ｖｓが混合して形成される複合気流Ｖｃは、強弱変化の少ない連続的なものとなる。特に、従気流Ｖｓが、主気流Ｖｍの外側と内側に発生するので、従気流Ｖｓは主気流Ｖｍの強弱変化を良好に緩和することができる。
【００１２】
以上のように、本発明の送風機３０は、軸方向両端が開放した短筒状の枠体２２と、この枠体２２の外側にのみ設けられた複数の翼２５からなる翼部２３とを有する軸流ファン２１と、前記枠体２２の内側に設けられた環状ケーシング２６とを有し、前記枠体２２を回転子２８とし、前記環状ケーシング２６内に固定子２７を設け、これら回転子２８及び固定子２７によって電動機２９を形成すると共に、前記環状ケーシング２６の内側に、前記翼部２３が発生させた主気流Ｖｍに伴って受動的に発生する従気流Ｖｓが流通する流通空間Ｐを形成したことによって、従気流Ｖｓが主気流Ｖｍの強弱を緩和するように流れるので、強弱変化の少ない連続的な複合気流Ｖｃを得ることができると共に、前記流通空間Ｐを流れる従気流Ｖｓを妨げる要素を可能な限り排除して、従気流Ｖｓをスムーズに流すことができるものである。
【符号の説明】
【００１３】
２１  軸流ファン
２２  枠体
２３  翼部
２５  翼
３１  内端
２６  環状ケーシング
２７  固定子
２８  回転子
２９  電動機
３０  送風機
Ｐ  流通空間
Ｖｍ  主気流
Ｖｓ  従気流
Ｖｃ  複合気流
【図１】
0005717780.tif 000002
【図２】
0005717780.tif 000003
【図３】
0005717780.tif 000004